(57)【要約】【課題】  選択呼出しに対する返答の容易化を図れるようにすることを課題とする。【解決手段】  ページャー１は、送信局７からの選択呼出しに応じてコマンドを含むメッセージ情報を受信すると、そのコマンドが示すタイプの色でスイッチを発光させ、スイッチオンの操作で外部無線装置２に無線信号を発信し、外部無線装置２は、ページャー１から無線信号を受信すると、その無線信号の受信レベルを表示する等の報知を行う。【選択図】    図１
2005245009.tif 000002
【特許請求の範囲】
【請求項１】
選択呼出しによるメッセージ情報を受信する選択呼出受信機において、
各種機能を実行させるための複数のスイッチ手段と、
前記各スイッチ手段に設けられた複数の発光手段と、
受信したメッセージ情報に応じて前記複数の発光手段のうち所定の発光手段を発光させるとともに、発光している発光手段が設けられているスイッチ手段を操作した場合に、操作したスイッチ手段に応じた機能を実行する制御手段と
を備えたことを特徴とする選択呼出受信機。
【請求項２】
選択呼出しにより受信された無線データ信号に応じて報知する選択呼出受信機と、該選択呼出受信機より無線信号を受信する外部無線装置とを備え、
前記選択呼出受信機は、
選択呼出しによって所定の無線データ信号を受信した場合に前記外部無線装置に無線信号を発信し、
前記外部無線装置は、
前記選択呼出受信機より無線信号を受信した場合に報知する、
ことを特徴とする選択呼出受信機を用いた通信システム。
【請求項３】
前記選択呼出受信機は、
発信を操作する発信スイッチ手段と、
前記発信スイッチ手段に設けられ、前記所定の無線データ信号を受信した場合に発光する発光手段と、
前記発光手段を発光させた場合に前記発信スイッチ手段の操作に応じて前記無線信号を発信する発信手段と、
を具備したことを特徴とする請求項２記載の選択呼出受信機を用いた通信システム。
【請求項４】
前記選択呼出受信機は、
選択呼出しによって所定の無線データ信号を受信した場合に前記外部無線装置に所定のコードを含む無線信号を発信し、
前記外部無線装置は、
前記選択呼出受信機より受信した無線信号に含まれる所定のコードと予め登録されているコードとの一致を確認した場合に報知する、
ことを特徴とする請求項２又は３に記載の選択呼出受信機を用いた通信システム。
【請求項５】
選択呼出しにより受信された無線データ信号に応じて報知する複数の選択呼出受信機と、該各選択呼出受信機より無線信号を受信する受信装置とを備え、
前記各選択呼出受信機は、
選択呼出しによって所定の無線データ信号を受信した場合に前記受信装置に無線信号を発信し、
前記受信装置は、
所定のエリア内において、それぞれ離間した位置に配置され、前記各選択呼出受信機より発信された無線信号を受信する複数の受信手段と、
前記複数の受信手段に結合され、前記各選択呼出受信機より発信された無線信号を受信した受信手段を前記複数の受信手段の中から判別する判別手段と、
前記判別手段により判別された受信手段の配置位置に基づいて前記各選択呼出受信機の状況を表示する表示手段と、
を具備したことを特徴とする選択呼出受信機を用いた通信システム。
【請求項６】
前記選択呼出受信機は、
選択呼出しによって所定の無線データ信号を受信した場合に前記受信装置に所定のコードを含む無線信号を発信し、
前記受信装置の前記表示手段は、
前記判別手段により判別された受信手段の配置位置と該受信手段により受信された無線信号に含まれた所定のコードとに基づいて前記各選択呼出受信機の状況を表示する、
ことを特徴とする請求項５記載の選択呼出受信機を用いた通信システム。
【発明の詳細な説明】
【技術分野】
【０００１】
本発明は、選択呼出しによるメッセージ情報を受信する選択呼出受信機、及びこの選択呼出受信機を用いた通信システムに関する。
【背景技術】
【０００２】
従来、無線呼出受信機のひとつであるページャーの通信システムにおいては、選択呼出し対象のページャーに対して、発信者によって作成されたメッセージ情報を呼出番号に付加して送信する利用形態が採用されている。
【０００３】
ページャーでは、選択呼出しに伴って報知音（ビープ音）、振動、表示灯の点灯による報知が行われると共に、受信されたメッセージ情報に基づいてメッセージ表示が行われる。このメッセージ表示では、キー操作に従って電話番号、連絡先名、連絡時間、メッセージ等の情報を表示させることができる。
【０００４】
今日、上述した着信報知やメッセージ表示の機能にオートダイヤル機能を付加したサービスが普及されつつあり、このサービスによって、ページャーサービス会社を介したページャー間の双方向のページングシステムを実現することができる。
【発明の開示】
【発明が解決しようとする課題】
【０００５】
ところが、上述した従来例における通信システムにおいて、メッセージ情報を表示する等の操作方法を知らない者や、操作できる年齢に達していない子供のように、ページャーの所有者が操作を困難とするような場合には、発信側から一方的にメッセージ情報が送信されるだけとなることが往々にして起こり、発信者においては送信したメッセージ情報に対する受信側の対応を知ることができず、一方、受信者においては受信されたメッセージを表示して確認できなかったり、メッセージを確認できてもどのように発信側のページャーに応答してよいのか分からず、この様な理由からページャー間の双方向性を十分に生かせないという問題がある。
【０００６】
本発明の目的は、選択呼出しによってデータを受信した際の操作性を向上することが可能な選択呼出受信機を提供することにある。
【０００７】
本発明の他の目的は、選択呼出受信機に対して選択呼出しされたことを確実に確認することが可能な選択呼出受信機を用いた通信システムを提供することにある。
【０００８】
本発明の他の目的は、選択呼出しに対する返答の容易化を図ることが可能な選択呼出受信機を用いた通信システムを提供することにある。
【０００９】
本発明の他の目的は、選択呼出受信機の返答から選択呼出し状況を容易に把握することが可能な選択呼出受信機を用いた通信システムを提供することにある。
【００１０】
本発明の他の目的は、予め決められた選択呼出受信機からの返答を容易に判別することが可能な選択呼出受信機を用いた通信システムを提供することにある。
【００１１】
本発明の他の目的は、複数の選択呼出受信機の状況を一括して把握することが可能な選択呼出受信機を用いた通信システムを提供することにある。
【００１２】
本発明の他の目的は、各選択呼出受信機の状況を一括して区別して把握することが可能な選択呼出受信機を用いた通信システムを提供することにある。
【課題を解決するための手段】
【００１３】
請求項１記載の発明に係る選択呼出受信機は、
選択呼出しによるメッセージ情報を受信する選択呼出受信機において、
各種機能を実行させるための複数のスイッチ手段と、
前記各スイッチ手段に設けられた複数の発光手段と、
受信したメッセージ情報に応じて前記複数の発光手段のうち所定の発光手段を発光させるとともに、発光している発光手段が設けられているスイッチ手段を操作した場合に、操作したスイッチ手段に応じた機能を実行する制御手段と
を備えたことを特徴とする。
【００１４】
以上の構成によれば、各種機能を実行させるための複数のスイッチ手段は、それぞれ発光手段をもち、制御手段は、受信したメッセージ情報に応じて複数の発光手段のうち所定の発光手段を発光させるとともに、発光している発光手段が設けられているスイッチ手段を操作した場合に、操作したスイッチ手段に応じた機能を実行する。
【００１５】
従って、発光するスイッチを操作するだけで受信されたデータを表示するようにし、その発光するスイッチを操作するとそのスイッチに応じた機能を実行するので、選択呼出しによってデータを受信した際の操作性を向上することが可能である。
【００１６】
請求項２記載の発明に係る選択呼出受信機を用いた通信システムは、
選択呼出しにより受信された無線データ信号に応じて報知する選択呼出受信機と、該選択呼出受信機より無線信号を受信する外部無線装置とを備え、
前記選択呼出受信機は、
選択呼出しによって所定の無線データ信号を受信した場合に前記外部無線装置に無線信号を発信し、
前記外部無線装置は、
前記選択呼出受信機より無線信号を受信した場合に報知する、
ことを特徴とする。
【００１７】
以上の構成によれば、選択呼出受信機において、選択呼出しによって所定の無線データ信号を受信した場合に外部無線装置に無線信号を発信し、外部無線装置において、選択呼出受信機より無線信号を受信した場合に報知する。
【００１８】
従って、外部無線装置において選択呼出受信機での選択呼出しを報知するようにしたので、外部無線装置では選択呼出受信機に対して選択呼出しされたことや互いの位置関係を確実に確認することが可能である。
【００１９】
請求項３記載の発明に係る選択呼出受信機を用いた通信システムは、請求項２記載の発明において、
前記選択呼出受信機は、
発信を操作する発信スイッチ手段と、
前記発信スイッチ手段に設けられ、前記所定の無線データ信号を受信した場合に発光する発光手段と、
前記発光手段を発光させた場合に前記発信スイッチ手段の操作に応じて前記無線信号を発信する発信手段と、
を具備したことを特徴とする。
【００２０】
以上の構成によれば、選択呼出受信機において、発信スイッチ手段は、発信を操作し、発光手段は、発信スイッチ手段に設けられ、所定の無線データ信号を受信した場合に発光し、発信手段は、発光手段を発光させた場合に発信スイッチ手段の操作に応じて無線信号を発信する。
【００２１】
従って、選択呼出受信機では発光するスイッチを操作するだけで外部無線装置に対して選択呼出しに応じた発信を行うようにしたので、選択呼出しに対して簡単な操作で返答することができ、これによって、返答の容易化を図ることが可能である。
【００２２】
請求項４記載の発明に係る選択呼出受信機を用いた通信システムは、請求項２又は３に記載の発明において、
前記選択呼出受信機は、
選択呼出しによって所定の無線データ信号を受信した場合に前記外部無線装置に所定のコードを含む無線信号を発信し、
前記外部無線装置は、
前記選択呼出受信機より受信した無線信号に含まれる所定のコードと予め登録されているコードとの一致を確認した場合に報知する、
ことを特徴とする。
【００２３】
以上の構成において、外部無線装置においてコードを用いて選択呼出受信機からの受信を報知するようにしたので、予め決められた選択呼出受信機からの返答を容易に判別することが可能である。
【００２４】
請求項５記載の発明に係る選択呼出受信機を用いた通信システムは、
選択呼出しにより受信された無線データ信号に応じて報知する複数の選択呼出受信機と、該各選択呼出受信機より無線信号を受信する受信装置とを備え、
前記各選択呼出受信機は、
選択呼出しによって所定の無線データ信号を受信した場合に前記受信装置に無線信号を発信し、
前記受信装置は、
所定のエリア内において、それぞれ離間した位置に配置され、前記各選択呼出受信機より発信された無線信号を受信する複数の受信手段と、
前記複数の受信手段に結合され、前記各選択呼出受信機より発信された無線信号を受信した受信手段を前記複数の受信手段の中から判別する判別手段と、
前記判別手段により判別された受信手段の配置位置に基づいて前記各選択呼出受信機の状況を表示する表示手段と、
を具備したことを特徴とする。
【００２５】
以上の構成によれば、各選択呼出受信機において、選択呼出しによって所定の無線データ信号を受信した場合に受信装置に無線信号を発信し、受信装置において、複数の受信手段は、所定のエリア内において、それぞれ離間した位置に配置され、各選択呼出受信機より発信された無線信号を受信し、判別手段は、複数の受信手段に結合され、各選択呼出受信機より発信された無線信号を受信した受信手段を複数の受信手段の中から判別し、表示手段は、判別手段により判別された受信手段の配置位置に基づいて各選択呼出受信機の状況を表示する。
【００２６】
従って、受信装置において、所定のエリア内で各選択呼出受信機から返答を判別して受け取り、その判別された返答に応じた表示を行うようにしたので、複数の選択呼出受信機の状況を一括して把握することが可能である。
【００２７】
請求項６記載の発明に係る選択呼出受信機を用いた通信システムは、請求項５記載の発明において、
前記選択呼出受信機は、
選択呼出しによって所定の無線データ信号を受信した場合に前記受信装置に所定のコードを含む無線信号を発信し、
前記受信装置の前記表示手段は、
前記判別手段により判別された受信手段の配置位置と該受信手段により受信された無線信号に含まれた所定のコードとに基づいて前記各選択呼出受信機の状況を表示する、
ことを特徴とする。
【００２８】
以上の構成によれば、選択呼出受信機において、選択呼出しによって所定の無線データ信号を受信した場合に受信装置に所定のコードを含む無線信号を発信し、受信装置の表示手段において、判別手段により判別された受信手段の配置位置とこの受信手段により受信された無線信号に含まれた所定のコードとに基づいて各選択呼出受信機の状況を表示する。
【００２９】
従って、選択呼出受信機に所定の選択呼出しがあるとその呼出しに対応した表示を受信装置において行うようにしたので、各選択呼出受信機の状況を一括して区別して把握することが可能である。
【発明の効果】
【００３０】
以上説明したように請求項１記載の発明によれば、発光するスイッチを操作するだけで受信されたデータを表示するようにし、その発光するスイッチを操作するとそのスイッチに応じた機能を実行するので、選択呼出しによってデータを受信した際の操作性を向上することが可能な選択呼出受信機を得られるという効果を奏する。
【００３１】
請求項２記載の発明によれば、外部無線装置において選択呼出受信機での選択呼出しを報知するようにしたので、外部無線装置では選択呼出受信機に対して選択呼出しされたことや互いの位置関係を確実に確認することが可能な通信システムを得られるという効果を奏する。
【００３２】
請求項３記載の発明によれば、選択呼出受信機では発光するスイッチを操作するだけで外部無線装置に対して選択呼出しに応じた発信を行うようにしたので、選択呼出しに対して簡単な操作で返答することができ、これによって、返答の容易化を図ることが可能な通信システムを得られるという効果を奏する。
【００３３】
請求項４記載の発明によれば、外部無線装置においてコードを用いて選択呼出受信機からの受信を報知するようにしたので、予め決められた選択呼出受信機からの返答を容易に判別することが可能な通信システムを得られるという効果を奏する。
【００３４】
請求項５記載の発明によれば、受信装置において、所定のエリア内で各選択呼出受信機から返答を判別して受け取り、その判別された返答に応じた表示を行うようにしたので、複数の選択呼出受信機の状況を一括して把握することが可能な通信システムを得られるという効果を奏する。
【００３５】
請求項６記載の発明によれば、選択呼出受信機に所定の選択呼出しがあるとその呼出しに対応した表示を受信装置において行うようにしたので、各選択呼出受信機の状況を一括して区別して把握することが可能な通信システムを得られるという効果を奏する。
【発明を実施するための最良の形態】
【００３６】
以下に添付図面を参照して、本発明に係る好適な一実施の形態を詳細に説明する。
（第１の実施の形態）
図１は本発明に係る通信システムの一例を示す構成図であり、同図に示した通信システムは、例えば、ページャー１、外部無線装置２、端末装置３、ＴＥＬダイアラー装置４、公衆回線網５…、通信センター装置６、及び送信局７…より構成されている。図１には、説明上、端末装置３、ＴＥＬダイアラー装置４、ページャー１、及び外部無線装置２がそれぞれ一機のみ図示されてるが、実際には複数存在するものとする。
【００３７】
以上の通信システムにおいて、ページャー１は、ＰＯＣＳＡＧ方式を採用した選択呼出受信機のひとつであり、自己に固有の呼出番号が与えられている。このページャー１は、送信局７から送信された無線データ信号に基づいてメッセージ表示等の処理を実行する。外部無線装置２は、ページャー１より発信された無線信号を受信して報知等の処理を実行する機能を有している。この外部無線装置２は、この実施の形態において、ページャー１と同様に自己に固有の呼出番号が与えられ、送信局７から送信された無線データ信号に基づいてメッセージ表示等の処理を実行する。端末装置３は、公衆回線網５に接続されたパーソナルコンピュータ等の端末機器であり、ＴＥＬダイヤラー装置４は、公衆回線網５に接続されたプッシュホン等の装置であり、これらの装置３，４はページャー１に対するメッセージ送信の依頼を通信センター装置６に要求することができる。公衆回線網５は、通信センター装置６に接続されており、端末装置３やＴＥＬダイアラー装置４からの呼出し要求を通信センター装置６に送出する。
【００３８】
通信センター装置６は、公衆回線網５…と送信局７…とに接続された中央基地局であり、各公衆回線網５から受け取った呼出し要求に応じて送信局７…に呼出し対象であるページャーの呼出しを指示する。各送信局７は、アンテナを具備しており、通信センター装置６からの指示に従ってページャー１に対し無線データ信号を送信する。
【００３９】
次に、ページャー１について詳述する。図２はページャー１の外観形状を示す正面図である。図２に示したページャー１において、正面には、受信メッセージ等の画像を表示するＬＣＤ等の表示部１８と、ＬＥＤ等の発光素子により点滅（又は点灯）発光する青ランプ２０ａ，黄ランプ２０ｂ，赤ランプ２０ｃよりなる色別ランプ部２０と、この青ランプ２０ａ，黄ランプ２０ｂ，赤ランプ２０ｃをそれぞれ具備した青スイッチ２１ａ，黄スイッチ２１ｂ，赤スイッチ２１ｃよりなる色別スイッチ部２１とが設けられ、右側部には、選択呼出しの着信に応じて音声、鳴音又は音楽を報知するスピーカ部１９が設けられ、左側部には、電源スイッチ２３が設けられている。
【００４０】
図３はページャー１の内部構成を示すブロック図である。図３に示したページャー１は、例えば、アンテナ１１、ＲＦ受信部１２、デコーダ部１３、ＩＤ−ＲＯＭ１４、制御部１５、ＲＯＭ１６、ＲＡＭ１７、表示部１８、スピーカ部１９、色別ランプ部２０、色別スイッチ部２１、電源２２、電源スイッチ２３、送信部２４、及びアンテナ２５より構成されている。
【００４１】
アンテナ１１は、送信局７…（図１参照）からの無線データ信号（アドレスデータ、メッセージデータ等）を受信してＲＦ受信部１２に出力する受信装置であり、ＲＦ受信部１２は、デコーダ部１３の制御に従って、ＩＤ−ＲＯＭ１４のＩＤデータの内のフレームデータで設定された自己フレームのタイムスロットで間欠駆動し、アンテナ１１で受信された信号を検波、復調して、デコーダ部１３に出力する機能を有している。ＩＤ−ＲＯＭ１４は、ページャー１に設定されたアドレスデータ、間欠受信タイミングを示すフレームデータ等のデータを登録するメモリである。デコーダ部１３は、ＲＦ受信部１２より入力された呼出番号データ（アドレスデータ）と、ＩＤ−ＲＯＭ１４に登録されたアドレスデータとを照合して、一致の際には、制御部１５に一致信号を出力して、その受信動作をＲＦ受信部１２に対して継続させるように制御する機能を有している。
【００４２】
制御部１５は、ＲＯＭ１６に格納された各種プログラムに従ってページャー１全体の動作を制御するＣＰＵ等の制御装置であり、図３に示した如く結合された各ユニットを制御信号で制御したり、データのリード／ライトを制御する。この制御部１５では、図７に示したフローチャートに従うプログラムに従って、受信されたメッセージ情報に含まれるコマンドに応じて色別ランプ部２０（青ランプ２０ａ，黄ランプ２０ｂ，赤ランプ２０ｃ）の点滅色（発光色）を制御すると共に、発光制御中の青ランプ２０ａ、黄ランプ２０ｂ、又は赤ランプ２０ｃを具備したスイッチ（青スイッチ２１ａ、黄スイッチ２１ｂ、又は赤スイッチ２１ｃ）の押下に応じて音声、音楽、表示等の報知処理や自機に対応する外部無線装置２に対する応答信号の発信処理を制御する。
【００４３】
ＲＯＭ１６は、制御部１５が動作するための各種プログラム（図７のフローチャートに従うプログラム等）を格納していると共に、キャラクタコードに基づいて表示データ（キャラクタイメージ）を生成するためのキャラクタジェネレータＲＯＭ部や選択呼出しにより受信された無線データ信号に含まれたコマンドに従って音声もしくは音楽を放音するための音声及び音楽データ（ＰＣＭ等）ＲＯＭ部を具備している。ここで、音声及び音楽データは、例えば、自機の所有者が子供の場合にその子供が迷子である旨の音声を出力したり、迷子をなだめる音楽を出力するためのデータを含む。ＲＡＭ１７は、受信メッセージデータ等を格納するメッセージメモリエリア、制御部１５が動作する際のワークメモリエリア等のエリアを有している。
【００４４】
表示部１８は、図示せぬ表示バッファから表示データを受け取って文字や図形等の画像を表示するものであり、スピーカ部１９は、図示せぬスピーカードライバで作成された信号に基づいて上述の鳴音、音声、音楽を発生するものである。
【００４５】
色別ランプ部２０の青ランプ２０ａ、黄ランプ２０ｂ、赤ランプ２０ｃは、それぞれ制御部１５の制御で駆動する図示せぬＬＥＤドライバにより発光（点滅もしくは点灯）するものであり、色別スイッチ部２１の青スイッチ２１ａ、黄スイッチ２１ｂ、赤スイッチ２１ｃは、それぞれ対応する青ランプ２０ａ、黄ランプ２０ｂ、赤ランプ２０ｃが点灯された際の操作で制御部１５に有効な信号として取得されるものである。
【００４６】
電源スイッチ２３は、スイッチオンで電源２２を制御部１５を含む各ユニットに供給するものである。
【００４７】
送信部２４は、制御部１５で形成されたデータを受け取り変調してアンテナ２５に出力する送信機能を有している。この送信部２４に供給されるデータは、黄ランプ２０ｂの発光時において黄スイッチ２１ｂの有効なスイッチオンがあるか、もしくは黄ランプ２０ｂが一定時間の発光を行った後に形成されるものである。
【００４８】
アンテナ２５は、送信部２４より受け取った変調信号を無線信号として外部無線装置２に発信するものである。
【００４９】
次に、外部無線装置２について詳述する。図４は外部無線装置２の外観形状を示す正面図である。図４に示した外部無線装置２において、正面には、受信メッセージ等の画像を表示するＬＣＤ等の表示部４３及びキー入力部４２が設けられ、右側部には、選択呼出しの着信に応じて音声を報知するスピーカ部４４と、ＬＥＤ等の発光素子により発光（点灯もしくは点滅）する発光部４５とが設けられ、左側部には、電源スイッチ４７が設けられている。
【００５０】
図５は外部無線装置２の内部構成を示すブロック図である。図５に示した外部無線装置２は、例えば、アンテナ３１、ＲＦ受信部３２、デコーダ部３３、ＩＤ−ＲＯＭ３４、アンテナ３５、ＲＦ受信部３６、受信レベル検出部３７、デコーダ部３８、制御部３９、ＲＯＭ４０、ＲＡＭ４１、キー入力部４２、表示部４３、スピーカ部４４、発光部４５、電源４６、及び、電源スイッチ４７より構成されている。なお、アンテナ３１、ＲＦ受信部３２、デコーダ部３３、及びＩＤ−ＲＯＭ３４は、送信局７…の選択呼出しにより無線データ信号を受信するための第１受信部を構成し、アンテナ３５、ＲＦ受信部３６、受信レベル検出部３７、及びデコーダ部３８は、ページャー１より受信された無線信号を受信するための第２受信部を構成している。
【００５１】
アンテナ３１は、送信局７…（図１参照）からの無線データ信号（アドレスデータ、メッセージデータ等）を受信してＲＦ受信部３２に出力する受信装置であり、ＲＦ受信部３２は、デコーダ部３３の制御に従って、ＩＤ−ＲＯＭ３４のＩＤデータの内のフレームデータで設定された自己フレームのタイムスロットで間欠駆動し、アンテナ３１で受信された信号を検波、復調して、デコーダ部３３に出力する機能を有している。ＩＤ−ＲＯＭ３４は、外部無線装置２に設定されたアドレスデータ、間欠受信タイミングを示すフレームデータ等のデータを登録するメモリである。デコーダ部３３は、ＲＦ受信部３２より入力された呼出番号データ（アドレスデータ）と、ＩＤ−ＲＯＭ３４に登録されたアドレスデータとを照合して、一致の際には、制御部３９に一致信号を出力して、その受信動作をＲＦ受信部３２に対して継続させるように制御する機能を有している。
【００５２】
制御部３９は、ＲＯＭ４０に格納された各種プログラムに従って外部無線装置２全体の動作を制御するＣＰＵ等の制御装置であり、図５に示した如く結合された各ユニットを制御信号で制御したり、データのリード／ライトを制御する。この制御部１５では、図８に示したフローチャートに従うプログラムに従って、通常のページャー機能、及び本機を親機役とした子機（ページャー１）サーチモードによる着信処理を実行する。
【００５３】
ＲＯＭ４０は、制御部３９が動作するための各種プログラム（図８のフローチャートに従うプログラム等）を格納していると共に、キャラクタコードに基づいて表示データ（キャラクタイメージ）を生成するためのキャラクタジェネレータＲＯＭ部を具備している。ＲＡＭ４１は、受信メッセージデータ等を格納するメッセージメモリエリア、制御部３９が動作する際のワークメモリエリア等のエリアを有している。
【００５４】
表示部４３は、図示せぬ表示バッファから表示データを受け取って文字や図形等の画像を表示すると共に、制御部３９の制御により上記子機サーチモードの際のページャー１からの受信レベルを図形表示するものであり、スピーカ部４４は、図示せぬスピーカードライバで作成された信号に基づいて選択呼出しの着信を報知すると共に、制御部３９の制御により上記子機サーチモードの際のページャー１からの受信レベルを放音出力するものである。
【００５５】
電源スイッチ４７は、スイッチオンで電源４６を制御部３９及び制御部３９に結合された各ユニットに供給するものである。
【００５６】
次に、ページャー１の動作について詳述する。図６はページャー１の無線呼出し方法を説明する図である。
【００５７】
この実施の形態において、ページャー１を通常の選択呼出受信機として用いる場合には、図６（ａ）に示した如く、ページャー１の呼出番号データ（ＩＤ）とメッセージ情報とを対応させた無線データ信号１００が送信局７よりページャー１に対して送信される。この場合、コード無しのため、メッセージ情報の受信時に、青ランプ２０ａの発光及びメッセージ表示が制御される。
【００５８】
また、ページャー１を発信機として用いる場合には、図６（ｂ）に示した如く、上記呼出番号データと迷子コードを含むメッセージ情報とを対応させた無線データ信号１０１が送信局７よりページャー１に対して送信される。ページャー１において、この迷子コードが受信されると、黄ランプ２０ｂの発光や放音が制御され、外部無線装置２において、子機サーチモードがセットされている場合には、外部無線装置２でページャー１から受信した信号のレベルを報知することから、外部無線装置２とページャー１とは探知機（親機）とその発信機（子機）との関係になる。
【００５９】
また、ページャー１を緊急報知機として用いる場合には、図６（ｃ）に示した如く、上記呼出番号データと緊急コードを含むメッセージ情報とを対応させた無線データ信号１０２が送信局７よりページャー１に対して送信される。この緊急コードがページャー１に受信されると、赤ランプ２０ｃの発光や放音が制御される。その音声の放音時に、図６（ｄ）に示した如く、上記呼出番号データと停止コードを含むメッセージ情報とを対応させた無線データ信号１０３が送信局７よりページャー１に対して送信されると、音声の放音は強制的に停止される。
【００６０】
次に、この通信システムの動作について説明する。図７はページャー１の動作を説明するフローチャート、図８は外部無線装置２の動作を説明するフローチャート、図９は図８に示した着信処理を具体的に説明するフローチャート、そして、図１０はページャー１及び外部無線装置２の報知例を説明する図である。
【００６１】
以下の説明では、外部無線装置２の所有者（以下に発信者と称する）が、端末装置３もしくはＴＥＬダイアラー装置４よりコマンドを入力して、ページャー１を無線呼出しする例を挙げて説明する。
【００６２】
この発信者においては、ページャー１に対してすなわちページャー１の所有者（以下に受信者と称する）に対して「通常」の無線呼出しを行う場合には、図６（ａ）に示した如く、例えば端末装置３より所望のメッセージ情報を作成入力して、通信センター装置６及び送信局７により所望のメッセージ情報を送信することができる。
【００６３】
また、受信者に対して「迷子」の無線呼出しを行う場合には、図６（ｂ）に示した如く、例えば端末装置３より迷子コード、もしくはその迷子コードを含むメッセージ情報を作成入力して、通信センター装置６及び送信局７により迷子コード（メッセージ情報に相当する）、もしくは迷子コードを含むメッセージ情報を送信することができる。
【００６４】
また、受信者に対して「緊急」の無線呼出しを行う場合には、図６（ｃ）に示した如く、例えば端末装置３より緊急コード、もしくはその緊急コードを含むメッセージ情報を作成入力して、通信センター装置６及び送信局７により緊急コード（メッセージ情報に相当する）、もしくは緊急コードを含むメッセージ情報を送信することができる。
【００６５】
また、受信者に対して「緊急」の無線呼出しに応じて送信先ページャー１の緊急状態を停止させる「停止」の無線呼出しを行う場合には、図６（ｄ）に示した如く、例えば端末装置３より停止コード、もしくはその停止コードを含むメッセージ情報を作成入力して、通信センター装置６及び送信局７により停止コード（メッセージ情報に相当する）、もしくは停止コードを含むメッセージ情報を送信することができる。
【００６６】
そこで、ページャー１においては、電源スイッチ２３の操作で自機に電源が供給されると、表示部２に初期画面を形成したりＲＡＭ１７のワークエリアをクリアする等の初期化処理が実行される（ステップＳ１）。この後、ステップＳ２及びＳ３において、送信局７…からの無線呼出しによる着信受け状態が設定される。このステップＳ２及びＳ３の着信受け状態では、図６（ａ）〜（ｄ）までの４種類の内のいずれかの無線データ信号が受信されることになる。
【００６７】
ステップＳ３において、無線呼出しの着信が検出されると、自機のＩＤ−ＲＯＭ１４に格納されたアドレスデータと無線データ信号に含まれる呼出番号データとの照合がデコーダ部１３により実施される。その結果、一致が得られると、制御部１５の制御で無線データ信号からメッセージ情報が取り出されてＲＡＭ１７に格納される（ステップＳ４）。制御部１５においては、この無線呼出しが「通常」、「迷子」、「緊急」、及び「停止」のいずれのタイプであるか判別される（ステップＳ５）。このステップＳ５では、メッセージ情報から迷子コード、緊急コード、停止コードの存在が判別される。その判別の結果、メッセージ情報にはどのコードも存在しなかった場合には、この無線呼出しが「通常」のタイプであると判定され、処理はステップＳ６に移行される。また、上記メッセージ情報からコードが確認されてそのコードが迷子コードであると判別された場合には、この無縁呼出しが「迷子」のタイプであると判定され、処理はステップＳ１１に移行する。同様に、メッセージ情報から確認されたコードが緊急コードであると判別された場合には、この無線呼出しが「緊急」のタイプであると判定され、処理はステップＳ２３に移行する。同様に、メッセージ情報から確認されたコードが停止コードであると判別された場合には、この無線呼出しが「停止」のタイプであると判定され、処理はステップＳ２８に移行する。
【００６８】
このように、ステップＳ５により無線呼出しが「通常」、「迷子」、「緊急」、「停止」のいずれのタイプであるか判定された後には、以下に続く処理が実行される。
【００６９】
「通常」のタイプでは、ステップＳ６において、その着信を報知するため、スピーカ部１９による鳴音が放音処理される。この鳴音の開始に伴って続くステップＳ７では、青ランプ２０ａが、点滅（発光）制御される（図１０（ａ）の斜線部分参照）。この青ランプ２０ａの点滅中は、この青ランプ２０ａに対応する青スイッチ２１ａのスイッチ操作が検出され（ステップＳ８）、そのスイッチオンの検出によりＲＡＭ１７に格納されたメッセージ情報に基づくメッセージが、例えば“カエッテキナサイ”（図１０（ａ）参照）のように表示部１８上に表示制御される（ステップＳ９）。このように、ステップＳ９においてメッセージ表示が行われると、次のステップＳ１０では、スピーカ部１９による鳴音が停止制御され、表示部１８でのメッセージ表示が停止制御されて、処理はステップＳ２に戻り再び着信受け状態となる。
【００７０】
また、「迷子」のタイプでは、ステップＳ１１において、その着信を報知するため、スピーカ部１９による鳴音が放音処理される。この鳴音の開始に伴って続くステップＳ１２では、黄ランプ２０ｂが点滅（発光）制御される（図１０（ｂ）の斜線部分参照）。この黄ランプ２０ｂの点滅制御に伴って、ステップＳ８では一定時間の計測が開始される。この第１の実施の形態では、上記一定時間は、ステップＳ１１により開始された鳴音と、ステップＳ１２により開始された黄ランプ２０ｂの点滅制御とを継続させる期間であり、迷子が動揺して黄スイッチ２１ｂを押せない場合を想定して計測されるものである。
【００７１】
この一定時間内に、黄ランプ２０ｂに対応する黄スイッチ２１ｂのスイッチ操作が検出されると（ステップＳ１４）、次のステップＳ１５では、スピーカ部１９による鳴音と黄ランプ２０ｂの点滅とが停止制御され、続くステップＳ１６において、予めＲＯＭ１６に格納された絵データに基づいて迷子をなぐさめるための絵イメージ（図１０（ｂ）参照）が表示部２上に表示される。これと同時に、予めＲＯＭ１６に格納された音楽データに基づいて迷子をなぐさめるための音楽がスピーカ部１９より一定時間分放音される。この絵表示と音楽開始に伴い、制御部１５では、探知機（親機）に相当する外部無線装置２に対して送信するデータを形成し、このデータを無線信号として送信部２４及びアンテナ２５より発信させる処理が開始される。
【００７２】
なお、この無線信号には、自機（ページャー１）識別用のコードが含まれており、この発信には、例えば間欠送信が採用される。このステップＳ１７による発信動作は、図示せぬリセットスイッチを操作することにより、停止することができる。したがって、発信機（子機）となったページャー１の所有者、もしくはページャー１の所有者である迷子の親等が停止操作を行うと、その操作を制御部１５が検知して（ステップＳ２１）、ステップＳ１６による絵表示及び音楽と、ステップＳ１７による発信とが停止制御される（ステップＳ２２）。
【００７３】
また、ステップＳ１８において、一定時間の計測が終了してタイムアップが確認されると、ステップＳ１１による鳴音とステップＳ１２による黄ランプ２０ｂの点滅とは動作終了となり、続くステップＳ１９において、予めＲＯＭ１６に格納された絵データに基づいて迷子をなぐさめるための絵イメージ（図１０（ｂ）参照）が表示部１８上に表示されると同時に、予めＲＯＭ１６に格納された音楽データに基づいてこれも迷子をなぐさめるための音楽がスピーカ部１９より一定時間分放音される。この絵表示と音楽開始に伴い、制御部１５では、探知機（親機）に相当する外部無線装置２に対して送信するデータを形成し、このデータを無線信号として送信部２４及びアンテナ２５より発信させる処理が開始される。この後、上述したステップＳ２１及びＳ２２のように、停止操作を制御部１５が検知すると、絵表示及び音楽と、発信とが停止制御される。
【００７４】
このように、ステップＳ２２において停止制御が行われた後に、処理はステップＳ２に戻り再び着信受け状態となる。
【００７５】
ここで、この「迷子」のタイプの無線呼出し時における外部無線装置２の対応動作について図８を参照して説明する。
【００７６】
外部無線装置２においても電源スイッチ４７の操作で電源が投入されると、ステップＳ３１においてページャー１と同様に初期化処理が実行され、続くステップＳ３２において、アンテナ３１、ＲＦ受信部３２、デコーダ部３３、及びＩＤ−ＲＯＭ３４よりなる第１受信部の（間欠）受信モードが設定される。この設定により外部無線装置２は、通常のページャーとして機能することになる。
【００７７】
この時点において、キー入力部４２における所定のスイッチ操作で子機サーチモードに設定されていた場合には（ステップＳ３３）、ステップＳ３４において、アンテナ３５、ＲＦ受信部３６、受信レベル検出部３７、及びデコーダ部３８よりなる第２受信部の（間欠）受信モードが設定される。この子機サーチモードは、本機にとり付加的な受信モードであり、ステップＳ３３において子機サーチモードではないと判定した場合、及び、ステップＳ３４において第２受信部の受信モード設定が行われた場合のいずれであっても、処理はステップＳ３５に移行し、着信受け状態が設定される。
【００７８】
この着信受け状態において着信の有無がステップＳ３６により判定され、その判定対象となる着信は、第１受信部で受信される送信局７…からの無線データ信号と、子機サーチモード設定時において第２受信部で受信されるページャー１からの無線信号との２種類である。子機サーチモードが設定されていない場合には、ページャー機能だけとなるので、第１受信部での無線データ信号の着信判定のみとなる。この着信判定は、後述するステップＳ３７の着信処理によって行われる。
【００７９】
また、このステップＳ３６において着信無しの判定があると、処理はステップＳ３８に移行して、キー入力部４２の操作によるキー入力判定が行われる。その際、ステップＳ３８においてキー入力が検出されると、次のステップＳ３９において、このキー入力がモードを切替えるためのモード切替キーか、それともメッセージ表示等を行うための他のキーか判別される。その結果、他のキー入力であると判別された場合には、処理はステップＳ４３に移行して、そのキー入力に応じた処理が実行される。一方、ステップＳ３９において、モード切替キーの入力であると判別された場合には、ステップＳ４０において子機サーチモード時にモード切替キーの入力があったか否か、すなわち、子機サーチモードをオンする切替えか、それともオフする切替えかの判別が行われる。その結果、オフする切替えであると判別された場合には、処理はステップＳ４１に移行して、子機サーチモードがオフ（リセット）され、これに伴って第２受信部の機能はオフされる。一方、オンする切替えであると判別された場合には、処理はステップＳ４２に移行して、子機サーチモードがオン（セット）され、これに伴って第２受信部の機能がオンされる。このように、ステップＳ４１による子機サーチモードのオフ、ステップＳ４２による子機サーチモードのオン、及びステップＳ４３による他のキー処理の実行の後、処理はステップＳ３５に戻り、着信受け状態となる。
【００８０】
そこで、子機サーチモードがオン、オフいずれの状態であっても、第１受信部により無線呼出しの着信が検出された場合には（ステップＳ３６）、ステップＳ３７において通常のメッセージ受信が行われる。また、子機サーチモードがオン状態の際に、第２受信部によりページャー１からの着信が検出された場合には（ステップＳ３６）、ステップＳ３７においてその着信により受信される無線信号に基づく着信処理が実行される。
【００８１】
ここで、ステップＳ３７の着信処理について図９を参照して詳述する。ステップＳ３６（図８参照）において着信が確認されると、処理はステップＳ５１（図９参照）に移行して、ステップＳ３３あるいはステップＳ４０の判定結果に基づいて子機サーチモードの設定状態が判定される。その結果、設定状態がオフであると判定された場合には、その着信は第１受信部からのものとなり、処理はステップＳ５６に移行して、ＩＤ−ＲＯＭ３４に格納されたアドレスデータと受信された無線データ信号中の呼出番号データとの照合が行われる。その照合で一致が得られると、ステップＳ５７において、通常のメッセージ受信と同様に、受信データ信号記憶、着信報知、メッセージ表示等の報知処理が実行され、不一致が得られると、図８に示したフローチャートに戻り、ステップＳ３５の着信受け状態が設定される。
【００８２】
また、ステップＳ５１において、子機サーチモードの設定状態がオンであると判定された場合には、処理はステップＳ５２に移行し、その着信は、第１受信部からのものか、それとも第２受信部からのものか判定される。その結果、着信が第１受信部のものであると判定された場合には、上述のステップＳ５６に移行して、自己ＩＤ一致のチェックの後、ステップＳ５７により、受信された無線データ信号の記憶、着信報知、メッセージ表示等の報知処理が実行される。
【００８３】
一方、着信が第２受信部のものであると判定された場合には、処理はステップＳ５３に移行して、まずコード照合が行われる。この場合、着信された無線信号から発信元であるページャー１を識別するためのコードが取り出され、このコードと予めデコーダ部３８に格納された発信機（子機）識別用のコードとの比較照合が行われる。その結果、一致が得られると、受信レベル検出部３７により検出された無線信号の受信レベルから受信強度が判別され、その判別された受信強度が表示部４３上に図１０（ｃ）に示した絵表示によって報知される。この報知では、ページャー１が発信機となり、この外部無線装置２が探知機となることから、迷子が近くにいるのか、それとも遠くにいるのかその状況を受信強度に基づいて絵を変化させることにより表現することができる。この絵表示の変化に同期して、受信強度から迷子が近くにいる程鳴音が大きくなるようにスピーカ部４４からの出力が制御される。
【００８４】
ページャー１においては、図７のステップＳ１７もしくはステップＳ２０において停止操作があるまで無線信号が継続して発信されるので、この外部無線装置２においてもステップＳ３５、Ｓ３６、Ｓ３７により継続して絵表示と鳴音出力とが行われる。なお、受信強度はその継続中に毎回判別されるので、その判別結果に伴い絵や鳴音も変化する。したがって、絵が近くを表す絵から遠くを表す絵に変化し、鳴音も徐々に小さくなっていくと、迷子が例えば親（外部無線装置２）から遠のくことを示すが、その逆の変化があると、迷子が親に近づいてくることを示す。親はこの変化をみて迷子の居場所を特定することが容易になる。もちろん、図１０（ｃ）の絵表示は一例であって、受信レベルに応じた絵で迷子との距離を表示するようにしてもよい。
【００８５】
さて、ページャー１の動作説明に戻り、「緊急」のタイプでは、ステップＳ２３において、その着信を緊急として報知するため、スピーカ部１９により一例である第１音声“この子は迷子です！  迷子センターへ連れていってください！”を放音する処理が実行され、同時に赤ランプ２０ｃが点灯制御される（図１０（ｄ）の斜線部分参照）。この音声出力及び赤ランプ２０ｃの点滅制御に伴って、ステップＳ２４では一定時間の計測が開始される。この一定時間は、上記第１音声の放音を所定回数繰り返して行う時間であると共に、ページャー１の所有者が赤スイッチ２１ｃを操作しなくても次の一例である第２音声“助けて！”を放音できるようにサポートするための目安である。したがって、ステップＳ２４により計測が開始されると、ステップＳ２５では赤スイッチ２１ｃの操作が検出され、ステップＳ２６ではタイムアップが確認される。その後、赤スイッチ２１ｃの操作があるか、それともタイプアップになると、処理はステップＳ２７に移行し、上述の第２音声が放音処理される。この第２音声の放音後は、処理がステップＳ２に戻り、着信受け状態が設定される。その際もステップＳ２７で放音を開始した第２音声は、繰り返し出力される。
【００８６】
この第２音声を停止させるには、発信元から停止コードを含むメッセージ情報を受信する方法、通信センター装置６より強制的に停止コードを受け取る方法等がある。
【００８７】
そこで、停止コードが受信されると、これは「停止」のタイプとして、処理はステップＳ２８に移行し、ステップＳ２７により放音を開始した第２音声を停止制御する。そして、処理はステップＳ２に戻り、着信受け状態が設定される。
【００８８】
以上説明したようにこの第１の実施の形態によれば、色別スイッチ部２１の内、発光するスイッチを操作するだけで受信されたメッセージを表示するようにしたので、選択呼出しによって無線データ信号を受信した際の操作性を向上することが可能である。
【００８９】
また、発信側の端末装置３もしくはＴＥＬダイアラー装置４によって受信側ページャー１での報知とその報知の停止とを制御するようにしたので、選択呼出しによって無線データ信号を受信した際の操作を簡略化することで操作性を向上することが可能である。
【００９０】
また、「迷子」のタイプにおいて、外部無線装置２では、ページャー１での選択呼出しの応答内容を報知するようにしたので、ページャー１に対して選択呼出しされたことを確実に確認することが可能であり、一方、ページャー１では、色別スイッチ部２１で発光するスイッチを操作するだけで外部無線装置２に対して選択呼出しに応じた発信を行うようにしたので、選択呼出しに対して簡単な操作で返答することができる。なお、この第１の実施の形態では、デパート、遊園地等で子供が親からはぐれる状況の「迷子」を想定していたが、ページャー１は発信機であることから、身障者の方、お年寄りの方等にも携帯してもらうことで、外部無線装置２について探知機としての利用を図った通信システムを実現できる。
【００９１】
また、「迷子」のタイプにおいて、ページャー１では無線呼出しの発光後に一定時間の経過をみて自動的に外部無線装置２に発信を行うようにしたので、選択呼出しの際にページャー１でスイッチ操作がなくても外部無線装置２に対して確実に返答が行われ、選択呼出しに応じた返答の操作の簡略化を図ることが可能である。
【００９２】
また、ページャー１において選択呼出しに応じた表示や音声出力で報知するようにしたので、選択呼出しに対する報知にバリエーションを与えることができる。
【００９３】
また、外部無線装置２では、子機サーチモードにおいて、ページャー１から受信される無線信号をその受信レベルの強弱で報知するようにしたので、その報知から互いの位置関係を容易に確認することが可能である。
【００９４】
また、外部無線装置２では、自機に対応する応答か否かをページャー１固有のコードから判別して、一致した場合に報知するようにしたので、特定のページャー１からの返答を容易に判別することが可能である。
【００９５】
（第２の実施の形態）
さて、上述した第１の実施の形態では、外部無線装置２が子機サーチモードでページャー１から無線信号を受け取った際に、特定のコードがあればその無線信号の受信レベルの強弱で報知を行うようにしていたが、以下に説明する第２の実施の形態は、複数のページャーから無線信号を受信して各ページャーからの無線信号をコードで判別し、各無線信号の受信レベルをその強弱で判別可能に一括表示するものである。
【００９６】
なお、この第２の実施の形態でも、図２に示したページャー１を採用するため、構成上及びその動作上の説明を省略し、以下に外部無線装置２に代わる構成とその動作について説明する。
【００９７】
図１１は本発明に係る通信システムの第２の実施の形態を示す構成図であり、同図において、５０は本通信システムの受信装置を示している。この受信装置５０は、例えば、装置全体を制御する制御装置５１と、この制御装置５１に結合される表示装置５２と、この制御装置５に結合される複数の受信局５３とにより構成される。
【００９８】
制御装置５１は、図示せぬＣＰＵ、ＲＯＭ、及びＲＡＭを具備しており、ＣＰＵはＲＯＭに格納された図１２に示したフローチャートに従うプログラム等により動作するものであり、その際にＲＡＭがワークエリアとして用いられる。この制御装置５１は、各受信局５３…により受信された各ページャー１からの無線信号を取り込むと、各無線信号中のコードから各ページャー１…の所在地を判別して、その分布状態を表示装置５２によって表示制御する。表示装置５２は、制御装置５１の表示制御に従って所定のエリアの地図イメージ上に各ページャー１…の所在地を識別可能なマーク等の情報を合成表示する。各受信局５３は、所定のエリアに異なった位置に離間して配置され、各ページャー１…より発信される無線信号を受信して制御装置５１に供給する。
【００９９】
次に、動作について説明する。なお、ページャー１は第１の実施の形態で説明した如く図７のフローチャートに従って動作するので、説明を省略する。
【０１００】
図１２は受信装置５０の動作を説明するフローチャートであり、図１３は表示装置５２の表示例を示す図である。図１１に示した受信装置５０では、ステップＳ６１において、所定のエリアの地図イメージが表示装置５２に表示され、この地図イメージ上に各受信局５３…の配置に合せて各受信局５３…を示すマークが合成表示される。図１３には、動物園を所定のエリアとした場合の一例が示されている。表示装置５２には、動物園を示す動物園イメージＡＲ（地図イメージ）上に、受信局５３…の配置に合せた受信局イメージＲＩ１〜ＲＩ８と、動物園内の動物小屋の配置に合せた動物小屋イメージＡＳ…と、制御装置５１と表示装置５２とを具備した迷子センターを示す迷子センターイメージＭＣとが合成表示される。
【０１０１】
続くステップＳ６２では、各受信局５３を介してページャーからの着信があるか否かを検出するため、着信受け状態が設定される。この着信受け状態の際に着信が検出されると、処理はステップＳ６３に移行して、どの受信局から受け取ったものであるか判別され、さらに次のステップＳ６４においてコードの判別が行われる。
【０１０２】
このように、ステップＳ６３とＳ６４とにより、受信した受信局とページャーを特定するコードとが判明すると、ステップＳ６５において、その判明した受信局の位置と受信レベルとに基づいてページャーの所在地（位置）が算出され、その所在地にその判明したコードに対応するページャー番号（予め各ページャーに番号を対応させておく）が表示される。このように、表示装置５２において、動物園イメージＡＲに各ページャーのページャー番号を合成表示させることにより、各ページャーが現在通過もしくは滞在中の場所を知ることができる。
【０１０３】
例えば、ページャー番号「１番」、「２番」の番号を付けられたページャー１，１より無線信号の受信があり、各ページャー１，１が２つの受信局５３，５３の中間位置にあった場合には、各受信局５３，５３で受信される受信レベルは半々となる。このような場合には、図１３（ｂ）に示した如く、ページャー番号「１番」のマークＭＫ１、ページャー番号「２番」のマークＭＫ２は、それぞれ受信局イメージＲＩ６とＲＩ７間、受信局イメージＲＩ５とＲＩ７間に合成表示される。
【０１０４】
このように、第２の実施の形態によれば、所定のエリア（例えば動物園イメージＡＲ）内で各ページャー１…から返答を判別して受け取り、その判別された返答に応じた表示を行うようにしたので、複数のページャー１…の分布状況を一括して区別して把握することが可能である。この場合、親機に相当する受信装置５０をひとつ用意すればよいので、どの親も子供を探し回ることなく一ヶ所で子供の居場所を容易に見つけだすことができる。
【０１０５】
また、この第２の実施の形態では、「迷子」のタイプを例に挙げていたが、各ページャー１…に迷子コードを送信して返答させるような他のタイプを設けても、そのタイプの無線呼出しに対応した表示を受信装置５０において行うことも可能であることから、「迷子」のタイプに限定せず、応答内容に応じた表示が可能となり、その表示を識別できるようにすればどのようなタイプを採用しても表示装置５２の表示をみることでタイプに応じたページャーの分布状況を一括して区別して把握することが可能である。
【０１０６】
（第３の実施の形態）
さて、前述の第１の実施の形態では、ページャー１と外部無線装置２とは図３、図５に示した如く異なる構成を採用していたが、第３の実施の形態は、ページャー１と外部無線装置２との構成を共通化して必要に応じて所望のモード（ページャー１の発信機（子機）モードと外部無線装置２の探知機（親機）モードとのいずれか一方）に切り換え可能にするものであり、ここではそのモード切換えを中心に説明する。
【０１０７】
図１４は本発明に係る通信システムの第３の実施の形態に採用されるページャーの構成を示すブロック図であり、同図において、６０は探知機（親機）モードと発信機（子機）モードとの切り換えが可能なモード切換式ページャーを示している。このモード切換式ページャー６０は、外部無線装置２（図５参照）のブロック構成にページャー１（図３参照）の送信機能を付加したものであり、外部無線装置２及びページャー１と同様の構成及び動作をするものには同様の番号を付している。大きく相違する構成としてＲＯＭ６１とキー入力部６２とがある。ＲＯＭ６１は、図１５のフローチャートに従うプログラム、前述の図７のフローチャートに従うプログラム（発信機（子機）モード）、前述の図８及び図９のフローチャートに従うプログラム（探知機（親機）モード）等のプログラムを格納している。キー入力部６２は、前述のキー入力部４２の構成に前述の色別スイッチ２１及び探知機モードと発信機モードとのいずれかに切換えるためのモード切換キーを付加したものである。
【０１０８】
次に、動作について説明する。図１５は第３の実施の形態によるキー入力処理を説明するフローチャートである。図１４に示したモード切換式ページャー６０では、探知機モードにおいても発信機モードにおいてもキー入力処理が行われ、この処理の中でモード切換えを行うことができる。このキー入力処理は、キー入力に従って実行されるものであり、キー入力部６２によって操作される。
【０１０９】
そこで、ステップＳ７１において、キー入力部６２よりモード切換キーの操作が検出されると、次のステップＳ７２において、その切換えが探知機モードであるか否か判別される。その結果、探知機モードであった場合には、処理はステップＳ７３に移行して、探知機モード処理（親機モード処理）が実行される。この探知機モード処理に入ると、動作は、図８及び図９に示した如く、前述の外部無線装置２の動作となる。一方、発信機モードであった場合には、処理はステップＳ７４に移行して、発信機モード処理（子機モード処理）が実行される。この発信機モード処理に入ると、動作は、図７に示した如く、前述のページャー１の動作となる。なお、ステップＳ７１において、モード切換キーの入力ではないと判別された場合には、処理はステップＳ７５に移行して、そのキー入力に応じた他のキー処理が実行される。このステップＳ７５による他のキー処理が終了すると、処理は現時点でのモード処理に戻る。
【０１１０】
このように、第３の実施の形態によれば、発信機（子機）モードに切り換えられた場合には、選択呼出しに応じて相手機への信号発信を行い、一方、探知機（親機）モードに切り換えられた場合には、発信機モードで動作する相手機より信号を受信することで報知を行うようにしたので、適宜所望のモードに切り換えることができ、発信機モードによって選択呼出し時の操作性の向上を図ることが可能である。特に、誰が発信機モードを採用しても、あるいは探知機モードを採用してもよいことから、例えば、災害等の緊急事態の際には、全体からはぐれた者が発信機モードに切り換えることで早期発見に役立つものである。
【図面の簡単な説明】
【０１１１】
【図１】本発明に係る通信システムの一例を示す構成図である。
【図２】本発明に係る選択呼出受信機の外観形状の一例を示す正面図である。
【図３】本発明に係る選択呼出受信機の内部構成の一例を示すブロック図である。
【図４】本発明に係る通信システムに適用される外部無線装置の外観形状の一例を示す正面図である。
【図５】本発明に係る通信システムに適用される外部無線装置の内部構成の一例を示すブロック図である。
【図６】本発明に係る通信システムの無線呼出し方法の一例を説明する図である。
【図７】第１の実施の形態による無線呼出受信機の動作を説明するフローチャートである。
【図８】第１の実施の形態による外部無線装置の動作を説明するフローチャートである。
【図９】図８に示した着信処理の一例を具体的に説明するフローチャートである。
【図１０】第１の実施の形態による報知例を説明する図である。
【図１１】本発明に係る通信システムの第２の実施の形態を示す構成図である。
【図１２】第２の実施の形態による受信装置の動作を説明するフローチャートである。
【図１３】第２の実施の形態による表示例を示す図である。
【図１４】本発明に係る通信システムの第３の実施の形態に採用されるページャーの構成を示すブロック図である。
【図１５】第３の実施の形態によるキー入力処理を説明するフローチャートである。
【符号の説明】
【０１１２】
１      ページャー
２      外部無線装置
６      通信センター装置
７      送信局７
１１，２５，３１，３５      アンテナ
１２，３２，３６      ＲＦ受信部
１３，３３，３８      デコーダ部
１４，３４      ＩＤ−ＲＯＭ
１５，３９      制御部
１６，４９，６１      ＲＯＭ
１７，４１      ＲＡＭ
１８，４３      表示部
１９，４４      スピーカ部
２０      色別ランプ部
２１      色別スイッチ部
２４      送信部
３７      受信レベル検出部
４２，６２      キー入力部
４５      発光部
５０      受信装置
５１      制御装置
５２      表示装置
５３      受信局
６０      モード切換式ページャー
【図１】
2005245009.tif 000003
【図２】
2005245009.tif 000004
【図３】
2005245009.tif 000005
【図４】
2005245009.tif 000006
【図５】
2005245009.tif 000007
【図６】
2005245009.tif 000008
【図７】
2005245009.tif 000009
【図８】
2005245009.tif 000010
【図９】
2005245009.tif 000011
【図１０】
2005245009.tif 000012
【図１１】
2005245009.tif 000013
【図１２】
2005245009.tif 000014
【図１３】
2005245009.tif 000015
【図１４】
2005245009.tif 000016
【図１５】
2005245009.tif 000017